(57)【要約】【課題】ダイヤルデータをより容易に保護することができる電話装置を提供する。【解決手段】制御部１６のロック部１６ｂは、操作入力部１３により、所定のロック解除操作が検出されたか否かに基づいてダイヤルデータ１５ｃの使用の可否を制御する。これにより、当該ロック解除操作がパスワードを記憶する場合よりも感覚的に記憶することが可能であるので、ダイヤルデータ１５ｃをより容易に保護することできる。また、ロック解除操作そのものによりダイヤルデータ１５ｃの使用の可否が制御されるので、パスワードを入力する場合のように複雑な操作が不要とすることが可能となるので、結果として、ダイヤルデータ１５ｃをより容易に保護することができる。さらに、指紋認証装置等の新たな装置を設ける必要がないので、装置構成が複雑になるのを防ぐことができるとともに、低コストも実現することができる。【選択図】  図１
2008252827.tif 000002
【特許請求の範囲】
【請求項１】
電話網に接続された電話装置であって、
ダイヤルデータを記憶する記憶部と、
ユーザの操作を検出する操作検出部と、
この操作検出部により所定の操作が検出されたか否かに基づいて、前記ダイヤルデータの使用の可否を制御するロック部と
を備えることを特徴とする電話装置。
【請求項２】
前記ロック部は、前記操作検出部によりダイヤル以外の操作を含む一連の操作が検出されると、前記ダイヤルデータを使用可とする
ことを特徴とする請求項１記載の電話装置。
【請求項３】
前記操作検出部による操作結果を表示する表示部
をさらに備え、
前記ロック部は、前記操作検出部により前記操作結果とは異なる所定の操作が検出されると、前記ダイヤルデータを使用可とする
ことを特徴とする請求項１記載の電話装置。
【請求項４】
前記ロック部は、前記操作検出部により着信に応答する操作が所定のタイミングで行われると、前記ダイヤルデータを使用可とする
ことを特徴とする請求項１記載の電話装置。
【請求項５】
第１の操作に応じて所定の信号を出力する出力部
をさらに備え、
前記ロック部は、前記操作検出部により前記所定の信号に対する第２の操作が所定のタイミングで行われると、前記ダイヤルデータを使用可とする
ことを特徴とする請求項１記載の電話装置。
【発明の詳細な説明】
【技術分野】
【０００１】
本発明は、電話装置に関し、特に発信履歴、着信履歴、電話帳等の情報を記憶することができる電話装置に関するものである。
【背景技術】
【０００２】
一般に、電話装置には、発信履歴、着信履歴、電話帳等のデータ（以下、ダイヤルデータという）を記憶する機能が備えられている。このようなダイヤルデータは、個人情報が含まれることが少なくないので、第３者に流出することは望ましくない。そこで、従来では、パスワードや指紋認証技術（例えば、特許文献１参照）を用いることによりダイヤルデータを保護することが提案されている。
【０００３】
【特許文献１】特開平５−１０３０６８号公報
【発明の開示】
【発明が解決しようとする課題】
【０００４】
しかしながら、従来のようにパスワードを用いる場合、パスワードが数字、文字、記号等の羅列から構成されるので、意識的に覚える必要があり、記憶するのが困難なことがあった。また、従来のようにパスワードを用いる場合には、第３者にパスワードが見破られるのを防ぐため、パスワードとして長い文字列を用いる場合があり、キー入力が面倒なことがあった。
また、指紋認証技術を用いる場合には、装置構成が複雑になると共に高コストであった。
【０００５】
そこで、本願発明は、ダイヤルデータをより容易に保護することができる電話装置を提供することを目的とする。
【課題を解決するための手段】
【０００６】
上述したような課題を解消するために、本発明に係る電話装置は、電話網に接続された電話装置であって、ダイヤルデータを記憶する記憶部と、ユーザの操作を検出する操作検出部と、この操作検出部により所定の操作が検出されたか否かに基づいて、ダイヤルデータの使用の可否を制御するロック部とを備えることを特徴とする。
【０００７】
上記電話装置において、ロック部は、操作検出部によりダイヤル以外の操作を含む一連の操作が検出されると、ダイヤルデータを使用可とするようにしてもよい。
【０００８】
また、上記電話装置において、操作検出部による操作結果を表示する表示部をさらに備え、ロック部は、操作検出部により操作結果とは異なる所定の操作が検出されると、ダイヤルデータを使用可とするようにしてもよい。
【０００９】
また、上記電話装置において、ロック部は、操作検出部により着信に応答する操作が所定のタイミングで行われると、ダイヤルデータを使用可とするようにしてもよい。
【００１０】
また、上記電話装置において、第１の操作に応じて所定の信号を出力する出力部をさらに備え、ロック部は、操作検出部により所定の信号に対する第２の操作が所定のタイミングで行われると、ダイヤルデータを使用可とするようにしてもよい。
【発明の効果】
【００１１】
本発明によれば、所定の操作が検出されたか否かに基づいてダイヤルデータの使用の可否を制御することにより、当該所定の操作がパスワードを記憶する場合よりも感覚的に記憶することが可能であるので、ダイヤルデータをより容易に保護することできる。また、所定の操作そのものによりダイヤルデータの使用の可否が制御されるので、パスワードを入力する場合のように複雑な操作が不要とすることが可能となり、結果として、ダイヤルデータをより容易に保護することができる。さらに、新たな装置を設ける必要がないので、装置構成が複雑になるのを防ぐことができるとともに、低コストも実現することができる。
【発明を実施するための最良の形態】
【００１２】
以下、図面を参照して、本発明の実施の形態について詳細に説明する。図１に示すように、本実施の形態に係る電話装置１は、Ｉ／Ｆ部１１と、音声処理部１２と、操作入力部１３と、表示部１４と、記憶部１５と、制御部１６と、ＨＳ（Hand Set）１７と、ＳＰ（Speaker）１８とを備えている。
【００１３】
Ｉ／Ｆ部１１は、通信回路からなり、通信回線１１ａを介してネットワーク２に接続されている。これにより、ネットワーク２を介して他の電話装置と音声データや制御信号などの各種データをやりとりする。
【００１４】
音声処理部１２は、信号処理回路からなり、Ｉ／Ｆ部１１から入力された音声データを復号化してＨＳ１７またはＳＰ１８から出力させるとともに、ＨＳ１７から入力された音声信号を音声データに符号化してＩ／Ｆ部１１に出力する。
【００１５】
操作入力部１３は、ダイヤルキー、機能キー、フックスイッチ等の操作入力装置からなり、ユーザの操作入力を検出して制御部１６に出力する。
【００１６】
表示部１４は、ＬＥＤ（Light Emitting Diode）やＬＣＤ（Liquid Crystal Display）などの表示装置からなり、制御部１６からの指示に応じて通話状態などの各種可視表示を行う。
【００１７】
記憶部１５は、メモリやハードディスクなどの記憶装置からなり、制御データ１５ａ、操作データ１５ｂ、ダイヤルデータ１５ｃおよびプログラム１５ｄを格納する。ここで、制御データ１５ａは、電話装置１の制御に用いる情報である。また、操作データ１５ｂは、ダイヤルデータ１５ｃのロックを解除するためのユーザの操作に関する情報である。また、ダイヤルデータ１５ｃは、発信履歴、着信履歴、電話帳など通信相手を特定するための情報である。このダイヤルデータ１５ｃは、電話番号、氏名、ＩＰアドレス、メールアドレス等からなるものであり、電話装置１で発着信動作を行ったり、ユーザの操作入力により電話帳を作成することにより、生成される。また、プログラム１５ｄは、電話装置１の動作プログラムであり、予め記憶部１５に格納される。なお、プログラム１５ｄは、ＤＶＤ（Digital Versatile Disk）やＣＤ（Compact Disk）等の記録媒体やネットワークを介して記憶部１５に格納するようにしてもよい。
【００１８】
制御部１６は、ＣＰＵなどのマイクロプロセッサとその周辺回路からなり、記憶部１５からプログラム１５ｄを読み込んで実行することにより、上記ハードウェアとプログラム１５ｄを協働させ、動作制御部１６ａ、ロック部１６ｂおよび操作登録部１６ｃを実現させる。
【００１９】
動作制御部１６ａは、記憶部１５の制御データ１５ａに基づいてＩ／Ｆ部１１、音声処理部１２、操作入力部１３、表示部１４の動作を制御することにより、他の装置との間の呼、電話装置１の各種機能を制御する。
【００２０】
ロック部１６ｂは、ダイヤルデータ１５ｂの使用の可否を制御する。
【００２１】
操作登録部１６ｃは、ロック部１６ｂにより使用不可とされたダイヤルデータ１５ｂを使用可とするためのユーザの操作を登録する。
【００２２】
ＨＳ１７は、音声処理部１２から入力された音声信号を音声に変換して外部に出力する受話器１７ａと、ユーザ等のから発せられた音声を検出しこれを音声データに変換して音声処理部１２に入力する送話器１７ｂとから構成される。
【００２３】
ＳＰ１８は、音声処理部１２から入力された音声信号を音声に変換して外部に出力する。
【００２４】
［電話装置の動作］
次に、図２〜図４を参照して、電話装置の動作について説明する。
【００２５】
＜ロック解除操作登録動作＞
まず、図２を参照して、ロック解除操作の登録動作について説明する。
【００２６】
出荷直後や電話装置１の初期化後など、記憶部１５に操作データ１５ｂが登録されていない状態において、電話装置１の電源が投入されると（ステップＳ１）、電話装置１の制御部１６の操作登録部１６ｃは、ユーザに対してロック解除操作の登録を要求する（ステップＳ２）。この要求は、例えば、ＬＣＤ等の表示部１４に登録を要求する旨の表示させたり、ＳＰ１８より登録を要求する旨の音声を出力させたり、所定の合図を出力したりすることにより行われる。ロック解除操作の具体例について、以下に示す。
【００２７】
（第１のロック解除操作）
第１のロック解除操作は、ダイヤルキー以外の操作を含む一連の操作をロック解除操作とするものである。従来のようにパスワードを入力する場合には、一般にダイヤルキーのみしか使用されない。しかしながら、電話装置１には、ダイヤルキーのみならず各種入力装置が設けられている。そこで、フックスイッチ、ダイヤルキー、機能キーなど操作入力部１３を構成する各種入力装置に対する操作そのものを、ロック解除操作とする。例えば、「オフフック」、「保留ボタン押下」、「フラッシュボタン押下」、「オンフック」という一連の操作が行われると、この一連の操作をロック解除操作として検出するものである。このような一連の操作は、意識的にではなく感覚的に行われる場合が多いので、従来よりもより容易にロック解除操作を記憶することが可能となる。
【００２８】
（第２のロック解除操作）
第２のロック解除操作は、第１のロック解除操作と同様、操作入力部１３に対する操作そのものをロック解除操作とするものであり、特に、表示部１４の表示と異なる操作に関するものである。例えば、ダイヤルキーが、「１」、「２」、「３」、「４」、「ＢＳ(Back Space)」、「ＢＳ」、「６」、「７」の順で押下された場合、この一連の操作をロック解除操作として検出する。この場合、表示部１４には「ＢＳ」で「３」と「４」が消去されるため「１２６７」と表示されるが、ロックを解除するために「１」、「２」、「６」、「７」とダイヤルしても、ロック部１６ｂは、エラーとしてダイヤルデータ１５ｂを使用不可とする。これにより、例えば、ロック解除操作を行ったときに表示部１４を第３者に見られた場合であっても、表示部１４の表示とロック解除操作が異なるため、ダイヤルデータ１５ｃのロック解除が困難となり、結果としてダイヤルデータ１５ｃをより容易かつ効果的に保護することができる。
【００２９】
（第３のロック解除操作）
第３のロック解除操作は、ユーザの操作の癖をロック解除操作とするものであり、特に、着信応答のタイミングに関するものである。着信への応答は、例えば、ブザーの鳴動の回数やその回数における鳴動の序盤、中盤、終盤など個人差があるとともに、無意識のうちにいつも同じタイミングで行われていることが多い。そこで、電話装置１に対して着信が入ったとき、ＳＰ１８から所定のリズムを有するブザー音を常に曲頭から出力させ、この時点からＨＳ１７をオフフックにしたり機能キーを押下したりするなどの着信応答動作を行うまでの時間を、ロック解除操作として検出する。これにより、ロック解除操作を意識的に記憶する必要がないのとともに、複雑な操作も不要となるので、結果として、ダイヤルデータをより容易に保護することができる。
【００３０】
（第４のロック解除操作）
第４のロック解除操作は、第３のロック解除操作と同様、ユーザの操作の癖をロック解除操作とするものであり、特に、パスワードを押下するタイミングに関するものである。着信に応答する場合と同様、ある合図に対する反応には個人差があり、これが無意識のうちにいつも同じタイミングで行われる場合が多い。そこで、電話装置１のＳＰ１８からパスワードを催促する音声を出力させ、この時点からダイヤルキーを押下するなどのパスワードの入力を開始するまでの時間を、ロック解除操作として検出する。これにより、ロック解除操作を意識的に記憶する必要がないのとともに、複雑な操作も不要となるので、結果として、ダイヤルデータをより容易に保護することができる。
【００３１】
なお、複数の操作の入力が行われる場合には、ボタンを押下する間隔も併せて登録するようにしてもよい。また、入力させるパスワードは、特定のものに限定されず、単に４つのダイヤルなどランダムなものであってもよい。
【００３２】
上述した第１〜第４のロック解除操作のうちの何れかを行うようにとの要求に対して、ユーザによるロック解除操作を操作入力部１３が検出すると（ステップＳ３：ＹＥＳ）、操作登録部１６ｃは、そのロック解除操作を操作データ１５ｂに登録する（ステップＳ４）。
【００３３】
＜ロック解除動作＞
次に、図３を参照して、ロック解除動作について説明する。例えば、電源が入っていない、留守設定中、休日設定中など、電話装置１が動作を制限された特定の状態にある場合、ロック部１６ｂは、ダイヤルデータ１５ｃの使用を不可とし、ダイヤルデータ１５ｃへのアクセスを禁止する。
【００３４】
このような場合において、操作入力部１３により例えば電源を投入する、留守設定を解除する、休日設定を解除する、何らかのキーが押下される等の操作入力が検出されると（ステップＳ１１）、ロック部１６ｂは、ユーザに対してロック解除操作を行うよう要求する（ステップＳ１２）。この要求は、第１〜第４のロック解除操作のうち登録されたロック解除操作を行わせるべく、例えば、ＬＣＤ等の表示部１４にロック解除操作を要求する旨の表示させたり、ＳＰ１８よりロック解除操作を要求する旨の音声を出力させたりすることにより行われる。
【００３５】
操作入力部１３によりユーザの操作が検出されると、ロック部１６ｂは、その操作と操作データ１５ｂとを比較する（ステップＳ１３）。検出されたユーザの操作が操作データ１５ｂと同一の場合（ステップＳ１３：ＹＥＳ）、ロック部１６ｂは、ダイヤルデータ１５ｃを使用可とし、ダイヤルデータ１５ｃへのアクセスを許可する（ステップＳ１４）。これにより、操作入力部１３により、例えばリダイヤルボタンが押下されたり、機能キーが押下されたりすることにより、発信履歴、着信履歴、電話帳などのダイヤルデータの表示を要求されると、動作制御部１６ａは、ダイヤルデータ１５ｃから要求されたダイヤルデータを表示部１４に表示させる。
【００３６】
一方、検出されたユーザの操作が操作データ１５ｂと同一ではない場合（ステップＳ１３：ＮＯ）、ロック部１６ｂは、ダイヤルデータ１５ｃを使用不可とする状態を維持する（ステップＳ１５）。したがって、操作入力部１３によりダイヤルデータの表示が要求されたことが検出されても、動作制御部１６ａは、ダイヤルデータ１５ｃにアクセスすることができないので、要求されたダイヤルデータが表示部１４に表示されない。
【００３７】
このように、ユーザのロック解除操作に基づいてダイヤルデータ１５ｃの使用可否を制御することにより、パスワードを用いる場合によりも、より容易にダイヤルデータ１５ｃを保護することができる。
【００３８】
＜着信動作＞
次に、図４を参照して、電話装置１の着信動作について説明する。
【００３９】
まず、留守設定中、休日設定中など電話装置１は、ダイヤルデータ１５ｃが使用不可の状態にあるものとする（ステップＳ２１）。このような状態において、相手装置３のユーザが電話装置１に対して発信操作を行い（ステップＳ２２）、着信を示す制御信号を受信すると（ステップＳ２３）、電話装置１の動作制御部１６ａは、ダイヤルデータ１５ｃが使用不可であるので、ＳＰ１８から着信音を出力させるとともに、表示部１４に着信が入ったことのみを示す表示をさせる。これにより、ダイヤルデータ１５ｃが使用不可の状態であっても、着信に応答することが可能となる。
【００４０】
その後、操作入力部１３によりロック解除操作が検出され（ステップＳ３１）、ダイヤルデータ１５ｃが使用可の状態となったとする（ステップＳ３２）。このような状態において、相手装置３のユーザが電話装置１に対して発信操作を行い（ステップＳ３３）、着信を示す制御信号を受信すると（ステップＳ３４）、電話装置１の動作制御部１６ａは、ダイヤルデータ１５ｃが使用可であるので、ＳＰ１８から着信音を出力させるとともに、表示部１４に相手装置３の電話番号や氏名等を表示をさせる。この表示は、相手装置３側から受信する発信者番号通知とダイヤルデータ１５ｃに記憶されている電話帳とに基づいて行うことができる。これにより、電話装置１のユーザは、発信者を認識することができる。
【００４１】
以上説明したように、本実施の形態によれば、所定のロック解除操作が検出されたか否かに基づいてダイヤルデータ１５ｃの使用の可否を制御することにより、当該ロック解除操作がパスワードを記憶する場合よりも感覚的に記憶することが可能であるので、ダイヤルデータ１５ｃをより容易に保護することできる。また、ロック解除操作そのものによりダイヤルデータ１５ｃの使用の可否が制御されるので、パスワードを入力する場合のように複雑な操作が不要とすることが可能となるので、結果として、ダイヤルデータ１５ｃをより容易に保護することができる。さらに、従来より備わっている装置で実現することができるので、指紋認証装置等の新たな装置を設ける必要がない。このため、装置構成が複雑になるのを防ぐことができるとともに、低コストも実現することができる。
【産業上の利用可能性】
【００４２】
本発明は、固定電話機、携帯電話機、ボタン電話装置の子機など発信履歴、着信履歴、電話帳等のダイヤルデータを記憶することができる電話装置に適用することができる。
【図面の簡単な説明】
【００４３】
【図１】本発明に係る電話装置の構成を示すブロック図である。
【図２】ロック解除操作の登録動作を示すフローチャートである。
【図３】ロック解除動作を示すフローチャートである。
【図４】電話装置１の着信時の動作を示すタイミングチャートである。
【符号の説明】
【００４４】
１…電話装置、２…ネットワーク、３…相手装置、１１…Ｉ／Ｆ部、１１ａ…通信回線、１２…音声処理部、１３…操作入力部、１４…表示部、１５…記憶部、１５ａ…制御データ、１５ｂ…操作データ、１５ｃ…ダイヤルデータ、１５ｄ…プログラム、１６…制御部、１６ａ…動作制御部、１６ｂ…ロック部、１６ｃ…操作登録部、１７…ＨＳ、１７ａ…受話器、１７ｂ…送話器、１８…ＳＰ。
【図１】
2008252827.tif 000003
【図２】
2008252827.tif 000004
【図３】
2008252827.tif 000005
【図４】
2008252827.tif 000006